(57)【要約】      （修正有）【課題】旅行かばんを提供する。【解決手段】旅行かばんは箱体２０、スペーサーおよび蓋５０を備える。スペーサーはミシン縫製によって底部辺縁部が箱体２０の底部辺縁部に連結される。スペーサーは内側ファスナーによって箱体２０に連結されることで箱体２０の第一収納空間を開放および遮蔽する。蓋５０はミシン縫製によって底部辺縁部が箱体２０の底部辺縁部に連結される。蓋５０は外側ファスナーによって箱体２０に連結され、箱体２０との間に形成された第二収納空間を開放および遮蔽する。上述した構造特徴により、荷物を性質別に仕分けて第一収納空間および第二収納空間に収納すれば、状況に応じて第一収納空間または第二収納空間を開けて欲しいものを取り出し、使用上の利便性を向上させることができる。【選択図】図２
0003219286.tif 000002
【実用新案登録請求の範囲】
【請求項１】
箱体、スペーサー、内側ファスナー、蓋および外側ファスナーを備え、
前記箱体は、第一収納空間と、前記第一収納空間を囲む開口部辺縁部とを有し、
前記スペーサーは、前記箱体の前記第一収納空間に対応し、底部辺縁部が前記箱体の底部辺縁部に連結され、
前記内側ファスナーは、前記箱体の前記開口部辺縁部および前記スペーサーの外周辺縁部に装着されることで前記箱体の前記第一収納空間を開閉し、
前記蓋は、底部辺縁部が前記箱体の底部辺縁部に連結されて前記スペーサーとの間に第二収納空間を形成し、
前記外側ファスナーは、前記箱体の前記開口部辺縁部および前記蓋の外周辺縁部に装着されることで前記第二収納空間を開閉することを特徴とする旅行かばん。
【請求項２】
前記スペーサーは、前記蓋に向かう側面に収納ポケットを有することを特徴とする請求項１に記載の旅行かばん。
【請求項３】
さらに二つの相対する可撓性連結部材を備え、
一つの前記可撓性連結部材は前記スペーサーの左側と前記蓋の左側との間に連結され、別の一つの前記可撓性連結部材は前記スペーサーの右側と前記蓋の右側との間に連結されることを特徴とする請求項１に記載の旅行かばん。
【請求項４】
前記内側ファスナーは、第一務歯、第二務歯およびスライダーを有し、前記内側ファスナーの第一務歯は前記箱体の前記開口部辺縁部に装着され、前記内側ファスナーの第二務歯は前記スペーサーの前記外周辺縁部に装着され、前記内側ファスナーのスライダーは前記内側ファスナーの第一務歯および前記内側ファスナーの第二務歯の間に配置され、
前記外側ファスナーは、第一務歯、第二務歯およびスライダーを有し、前記外側ファスナーの第一務歯は前記内側ファスナーの第一務歯の外周を囲んで前記箱体の前記開口部辺縁部に装着され、前記外側ファスナーの第二務歯は前記蓋の前記外周辺縁部に装着され、前記外側ファスナーのスライダーは前記外側ファスナーの第一務歯および前記外側ファスナーの第二務歯の間に配置されることを特徴とする請求項１から請求項３のいずれか一つに記載の旅行かばん。
【考案の詳細な説明】
【技術分野】
【０００１】
本考案は旅行かばん、特に荷物を性質別に仕分ける旅行かばんに関するものである。
【背景技術】
【０００２】
一般の旅行かばんは収納空間が一つしかないため、仕事用品（例えばノートパソコン）または私物（例えば着替え）などが混ざって一緒になる。旅行かばん内の荷物から欲しいものを急いで探そうとするときに、旅行かばんを開けるとあまり人に見せたくない物がいきなり出てしまうことがよくあるため、使用に不便である。また旅行かばんの複数のポケットはサイズが原因で使いにくいため、収納空間が一つしかない旅行かばんには改善の余地がある。
【考案の概要】
【考案が解決しようとする課題】
【０００３】
本考案は荷物を性質別に仕分けることによって荷物を取り出す際の利便性をはかることができる旅行かばんを提供することを主な目的とする。
【課題を解決するための手段】
【０００４】
上述した課題を解決するため、旅行かばんは箱体、スペーサー、内側ファスナー、蓋および外側ファスナーを備える。箱体は第一収納空間と、第一収納空間を囲む開口部辺縁部とを有する。スペーサーは箱体の第一収納空間に対応し、底部辺縁部が箱体の底部辺縁部に連結される。内側ファスナーは箱体の開口部辺縁部およびスペーサーの外周辺縁部に装着されることで箱体の第一収納空間を開閉する。蓋は底部辺縁部が箱体の底部辺縁部に連結され、スペーサーとの間に第二収納空間を形成する。外側ファスナーは箱体の開口部辺縁部および蓋の外周辺縁部に装着されることで第二収納空間を開閉する。
【０００５】
上述した構造特徴により、荷物を性質別に仕分けて第一収納空間および第二収納空間に収納することができる。例えば、身の周りの物（着替えなど）を第一収納空間に収納し、コンピューター、カメラ、書籍などの仕事用品を第二収納空間に収納すれば、状況に応じて第一収納空間または第二収納空間を開けて欲しいものを取り出すことができる。従って、荷物を取り出す時間が減らせるだけでなく、欲しいものを探すときに見せたくない身の回りの物が出てしまうことを避けることができる。
【０００６】
比較的好ましい場合、スペーサーは蓋に向かう側面に一つまたは複数の収納ポケットを有する。バッテリー、メモリカード、フラッシュドライブ、ケーブルまたは電源コードなどの紛失しやすい小物を収納ポケットに収納することができる。
【０００７】
比較的好ましい場合、スペーサーの左側と蓋の左側との間には可撓性連結部材を有し、スペーサーの右側と蓋の右側との間には別の可撓性連結部材を有する。二つの可撓性連結部材によって蓋の開く角度を制御することができる。
【０００８】
本考案による旅行かばんの詳細な構造、特徴、組み立てまたは使用方法は、以下の実施形態の詳細な説明を通して明確にする。また、以下の詳細な説明および本考案により提示された実施形態は本考案を説明するための一例に過ぎず、本考案の請求範囲を限定できないことは、本考案にかかわる領域において常識がある人ならば理解できるはずである。
【図面の簡単な説明】
【０００９】
【図１】本考案の一実施形態による旅行かばんを示す斜視図である。
【図２】本考案の一実施形態による旅行かばんにおいて第一収納空間および第二収納空間が開放された状態を示す斜視図の一部分である。
【図３】本考案の一実施形態による旅行かばんにおいて第一収納空間が開放された状態を示す斜視図である。
【考案を実施するための形態】
【００１０】
以下、本考案による旅行かばんを図面に基づいて説明する。図中の同じ符号は同じ部品または類似した部品の構造特徴を示す。
【００１１】
（一実施形態）
図１から図３に示すように、本考案の一実施形態による旅行かばん１０は箱体２０、スペーサー３０、内側ファスナー４０、蓋５０および外側ファスナー６０を備える。
【００１２】
箱体２０は、第一収納空間２２と、第一収納空間２２を囲む開口部辺縁部２４とを有する。
【００１３】
スペーサー３０は、内側面が箱体２０の第一収納空間２２に対応し、底部辺縁部がミシン縫製によって箱体２０の底部辺縁部に連結される。
【００１４】
内側ファスナー４０は、箱体２０の開口部辺縁部２４およびスペーサー３０の外周辺縁部３２に装着されて箱体２０の開口部辺縁部２４およびスペーサー３０の外周辺縁部３２を分離可能に連結する。詳しく言えば、内側ファスナー４０は第一務歯４１、第二務歯４２およびスライダー４３を有する。第一務歯４１はミシン縫製によって箱体２０の開口部辺縁部２４に装着される。第二務歯４２はミシン縫製によってスペーサー３０の外周辺縁部３２に装着される。スライダー４３は第一務歯４１および第二務歯４２の間に配置される。内側ファスナー４０を開ければスペーサー３０を広げて箱体２０の第一収納空間２２を開放することができる。内側ファスナー４０を締めればスペーサー３０によって箱体２０の第一収納空間２２を遮蔽することができる。
【００１５】
蓋５０は、スペーサー３０の外側面に対応し、底部辺縁部がミシン縫製によって箱体２０の底部辺縁部に連結されてスペーサー３０との間に第二収納空間５４を形成する。
【００１６】
外側ファスナー６０は、箱体２０の開口部辺縁部２４および蓋５０の外周辺縁部５２に装着されて箱体２０の開口部辺縁部２４および蓋５０の外周辺縁部５２を分離可能に連結する。詳しく言えば、外側ファスナー６０は第一務歯６１、第二務歯６２およびスライダー６３を有する。第一務歯６１はミシン縫製によって内側ファスナー４０の第一務歯４１を囲むように箱体２０の開口部辺縁部２４に装着される。第二務歯６２はミシン縫製によって蓋５０の外周辺縁部５２に装着される。スライダー６３は第一務歯６１および第二務歯６２の間に配置される。外側ファスナー６０を開ければ蓋５０を広げて第二収納空間５４を開放することができる。外側ファスナー６０を締めれば蓋５０によって第二収納空間５４を遮蔽することができる。
【００１７】
上述した構造特徴により、荷物を性質別に仕分けて第一収納空間２２および第二収納空間５４に収納することができる。例えば、身の周りの物（着替えなど）を第一収納空間２２に収納し、コンピューター、カメラ、書籍などの仕事用品を第二収納空間５４に収納すれば、状況に応じて第一収納空間２２または第二収納空間５４を開けて欲しいものを取り出すことができる。従って、荷物を取り出す時間が減らせるだけでなく、仕事用品を取り出すときに見せたくない身の回りの物が出てしまうことを避けることができる。
【００１８】
スペーサー３０の左側と蓋５０の左側との間には可撓性連結部材５６を有し、スペーサー３０の右側と蓋５０の右側との間には別の可撓性連結部材５６を有する。二つの可撓性連結部材５６で蓋５０の開く角度を制御することによって蓋５０の開く角度が大き過ぎることが原因で第二収納空間５４内の荷物が地面に落下して損壊してしまうことを避けることができる。またスペーサー３０は蓋５０に向かう側面に一つまたは複数の収納ポケット３４を有する。バッテリー、メモリカード、フラッシュドライブ、ケーブルまたは電源コードなどの紛失しやすい小物を収納ポケット３４に収納することができる。
【符号の説明】
【００１９】
１０：旅行かばん、
２０：箱体、
２２：第一収納空間、
２４：開口部辺縁部、
３０：スペーサー、
３２：外周辺縁部、
３４：収納ポケット、
４０：内側ファスナー、
４１：第一務歯、
４２：第二務歯、
４３：スライダー、
５０：蓋、
５２：外周辺縁部、
５４：第二収納空間、
５６：可撓性連結部材、
６０：外側ファスナー、
６１：第一務歯、
６２：第二務歯、
６３：スライダー
【図１】
0003219286.tif 000003
【図２】
0003219286.tif 000004
【図３】
0003219286.tif 000005